(57)【要約】    【課題】  高ズーム比で全ズーム範囲にわたり良好な光学特性が容易に得られる小型のズームレンズを得ること。    【解決手段】  複数のレンズ群を有し、ズーミングに際して隣り合うレンズ群の間隔が変化するズームレンズであって、複数のレンズ群は、物体側から像側へ順に配置された、正の屈折力のレンズ群ＬＰ１、負の屈折力のレンズ群ＬＮ１、後群を含み、後群は、後群に含まれるレンズ群のうち最も物体側に配置された正の屈折力のレンズ群ＬＲ１と、最も像側に配置された負の屈折力のレンズ群ＬＮ３と、レンズ群ＬＮ３の物体側に隣接して配置された負の屈折力のレンズ群ＬＮ２を有し、広角端から望遠端へのズーミングに際してレンズ群ＬＰ１とレンズ群ＬＮ２とレンズ群ＬＮ３は物体側へ移動する。【選択図】    図１
2019184632.tif 000002
【特許請求の範囲】
【請求項１】
複数のレンズ群を有し、ズーミングに際して隣り合うレンズ群の間隔が変化するズームレンズであって、
前記複数のレンズ群は、物体側から像側へ順に配置された、正の屈折力のレンズ群ＬＰ１、負の屈折力のレンズ群ＬＮ１、後群を含み、
前記後群は、前記後群に含まれるレンズ群のうち最も物体側に配置された正の屈折力のレンズ群ＬＲ１と、最も像側に配置された負の屈折力のレンズ群ＬＮ３と、前記レンズ群ＬＮ３の物体側に隣接して配置された負の屈折力のレンズ群ＬＮ２を有し、
広角端から望遠端へのズーミングに際して前記レンズ群ＬＰ１と前記レンズ群ＬＮ２と前記レンズ群ＬＮ３は物体側へ移動し、
前記レンズ群ＬＮ１の焦点距離をｆｎ１、前記レンズ群ＬＮ２の焦点距離をｆｎ２、広角端から望遠端へのズーミングにおける前記レンズ群ＬＮ２の移動量をｍｎ２、広角端から望遠端へのズーミングにおける前記レンズ群ＬＮ３の移動量をｍｎ３、広角端から望遠端へのズーミングにおける前記レンズ群ＬＲ１の移動量をｍｒ１、広角端から望遠端へのズーミングにおける前記レンズ群ＬＰ１の移動量をｍｐ１、とするとき、
０．５０＜ｆｎ２／ｆｎ１＜１．７０
１．０１＜ｍｎ２／ｍｎ３＜１．８０
−０．０１＜ｍｒ１／ｍｐ１＜０．３０
なる条件式を満足することを特徴とするズームレンズ。
【請求項２】
望遠端における前記ズームレンズの焦点距離をｆｔとするとき、
０．１５＜ｍｐ１／ｆｔ＜０．４０
なる条件式を満足することを特徴とする請求項１に記載のズームレンズ。
【請求項３】
広角端におけるバックフォーカスをｓｋｗ、望遠端におけるバックフォーカスをｓｋｔとするとき、
０．５０＜ｓｋｔ／ｓｋｗ＜４．００
なる条件式を満足することを特徴とする請求項１または２に記載のズームレンズ。
【請求項４】
望遠端における前記ズームレンズの焦点距離をｆｔとするとき、
−０．６０＜ｆｎ１／ｆｔ＜−０．２０
なる条件式を満足することを特徴とする請求項１乃至３のいずれか１項に記載のズームレンズ。
【請求項５】
広角端におけるバックフォーカスをｓｋｗ、広角端における前記ズームレンズの焦点距離をｆｗとするとき、
０．１０＜ｓｋｗ／ｆｗ＜０．４２
なる条件式を満足することを特徴とする請求項１乃至４のいずれか１項に記載のズームレンズ。
【請求項６】
望遠端における前記レンズ群ＬＮ１の結像横倍率をβＬＮ１ｔとするとき、
−５．００＜βＬＮ１ｔ＜−１．００
なる条件式を満足することを特徴とする請求項１乃至５のいずれか１項に記載のズームレンズ。
【請求項７】
前記レンズ群ＬＮ３の焦点距離をｆｎ３とするとき、
０．０５＜ｆｎ３／ｆｎ２＜０．４０
なる条件式を満足することを特徴とする請求項１乃至６のいずれか１項に記載のズームレンズ。
【請求項８】
フォーカシングに際して前記レンズ群ＬＮ２が移動することを特徴とする請求項１乃至７のいずれか１項に記載のズームレンズ。
【請求項９】
前記後群は物体側から像側へ順に配置された、前記レンズ群ＬＲ１、負の屈折力のレンズ群ＬＲ２、正の屈折力のレンズ群ＬＲ３、前記レンズ群ＬＮ２、前記レンズ群ＬＮ３より構成されていることを特徴とする請求項１乃至８のいずれか１項に記載のズームレンズ。
【請求項１０】
無限遠から近距離へのフォーカシングに際して、前記レンズ群ＬＲ２は物体側へ移動し、前記レンズ群ＬＮ２は像側へ移動することを特徴とする請求項９に記載のズームレンズ。
【請求項１１】
前記後群は、物体側から像側へ順に配置された、前記レンズ群ＬＲ１、正の屈折力のレンズ群ＬＲ２、前記レンズ群ＬＮ２、前記レンズ群ＬＮ３より構成されていることを特徴とする請求項１乃至８のいずれか１項に記載のズームレンズ。
【請求項１２】
無限遠から近距離へのフォーカシングに際して、前記レンズ群ＬＮ２は像側へ移動することを特徴とする請求項１１に記載のズームレンズ。
【請求項１３】
前記レンズ群ＬＰ１と前記レンズ群ＬＮ１との間に配置された、正の屈折力のレンズ群ＬＰ２を含むことを特徴とする請求項１乃至１０のいずれか１項に記載のズームレンズ。
【請求項１４】
前記レンズ群ＬＰ１は前記ズームレンズの最も物体側に配置されていることを特徴とする請求項１乃至１３のいずれか１項に記載のズームレンズ。
【請求項１５】
前記後群は前記レンズ群ＬＮ１の像側に隣接して配置され、かつ、開口絞りを含むことを特徴とする請求項１乃至１４のいずれか１項に記載のズームレンズ。
【請求項１６】
請求項１乃至１５のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズに関し、特にデジタルスチルカメラ、デジタルビデオカメラ等の電子写真カメラ、監視カメラ、放送用カメラなどの撮像装置に好適なものである。
【背景技術】
【０００２】
近年、撮像素子を用いた撮像装置は小型化され、それに用いられている撮像素子は高画素化されている。
【０００３】
このような撮像装置で用いられる撮像光学系には、高い光学性能を有していること、全系が小型であること等が求められる。これらの要求を満足するズームレンズとして、物体側より像側へ順に正の屈折力の第１レンズ群、負の屈折力の第２レンズ群、複数のレンズ群を含む後群より構成されるポジティブリード型のズームレンズが知られている。
【０００４】
このポジティブリード型のズームレンズにおいて、最も像側に負の屈折力のレンズ群を１つ又は２つ配置し、レンズ全長の短縮化を図った小型のズームレンズが知られている（特許文献１）。特許文献１では、物体側から像側へ順に配置された、正、負、正、負、負の屈折力の第１レンズ群乃至第５レンズ群よりなる５群ズームレンズを開示している。
【先行技術文献】
【特許文献】
【０００５】
【特許文献１】特開2015-227979号公報
【発明の概要】
【発明が解決しようとする課題】
【０００６】
ポジティブリード型のズームレンズはズームレンズの小型化を図りつつ、大口径比化及び高ズーム比化を図ることが比較的容易である。前述したポジティブリード型のズームレンズにおいては、更にズームレンズの小型化を図りつつ、大口径比化を図るには像側にズーミングに際して互いに独立して移動する２つの負の屈折力のレンズ群を配置するのが有効である。
【０００７】
しかしながら、像側にズーミングに際して独立に移動する２つの負の屈折力のレンズ群を単に配置しただけでは大口径比化をした際にズームレンズが大型化してくる。またズーミングに伴う諸収差の変動が増大して、全ズーム範囲にわたり高い解像力を得ることが困難になってくる。特に大口径比になると少ないレンズ枚数で諸収差を良好に補正することが極めて困難となる。そのため、ズームレンズの小型化を図りつつ大口径比化を図るにはズームレンズを構成する各レンズ群の屈折力やレンズ構成等を適切に設定することが重要になってくる。
【０００８】
本発明は、高ズーム比で全ズーム範囲にわたり良好な光学特性が容易に得られる小型のズームレンズ及びそれを有する撮像装置の提供を目的とする。
【課題を解決するための手段】
【０００９】
本発明のズームレンズは、複数のレンズ群を有し、ズーミングに際して隣り合うレンズ群の間隔が変化するズームレンズであって、
前記複数のレンズ群は、物体側から像側へ順に配置された、正の屈折力のレンズ群ＬＰ１、負の屈折力のレンズ群ＬＮ１、後群を含み、
前記後群は、前記後群に含まれるレンズ群のうち最も物体側に配置された正の屈折力のレンズ群ＬＲ１と、最も像側に配置された負の屈折力のレンズ群ＬＮ３と、前記レンズ群ＬＮ３の物体側に隣接して配置された負の屈折力のレンズ群ＬＮ２を有し、
広角端から望遠端へのズーミングに際して前記レンズ群ＬＰ１と前記レンズ群ＬＮ２と前記レンズ群ＬＮ３は物体側へ移動し、
前記レンズ群ＬＮ１の焦点距離をｆｎ１、前記レンズ群ＬＮ２の焦点距離をｆｎ２、広角端から望遠端へのズーミングにおける前記レンズ群ＬＮ２の移動量をｍｎ２、広角端から望遠端へのズーミングにおける前記レンズ群ＬＮ３の移動量をｍｎ３、広角端から望遠端へのズーミングにおける前記レンズ群ＬＲ１の移動量をｍｒ１、広角端から望遠端へのズーミングにおける前記レンズ群ＬＰ１の移動量をｍｐ１、とするとき、
０．５０＜ｆｎ２／ｆｎ１＜１．７０
１．０１＜ｍｎ２／ｍｎ３＜１．８０
−０．０１＜ｍｒ１／ｍｐ１＜０．３０
なる条件式を満足することを特徴としている。
【発明の効果】
【００１０】
本発明によれば、高ズーム比で全ズーム範囲にわたり良好な光学特性が容易に得られる小型のズームレンズが得られる。
【図面の簡単な説明】
【００１１】
【図１】実施例１のズームレンズのレンズ断面図
【図２】実施例１のズームレンズの広角端、中間のズーム位置、望遠端における収差図
【図３】実施例２のズームレンズのレンズ断面図
【図４】実施例２のズームレンズの広角端、中間のズーム位置、望遠端における収差図
【図５】実施例３のズームレンズのレンズ断面図
【図６】実施例３のズームレンズの広角端、中間のズーム位置、望遠端における収差図
【図７】実施例４のズームレンズのレンズ断面図
【図８】実施例４のズームレンズの広角端、中間のズーム位置、望遠端における収差図
【図９】実施例５のズームレンズのレンズ断面図
【図１０】実施例５のズームレンズの広角端、中間のズーム位置、望遠端における収差図
【図１１】実施例６のズームレンズのレンズ断面図
【図１２】実施例６のズームレンズの広角端、中間のズーム位置、望遠端における収差図
【図１３】実施例７のズームレンズのレンズ断面図
【図１４】実施例７のズームレンズの広角端、中間のズーム位置、望遠端における収差図
【図１５】本発明の撮像装置の要部概略図
【発明を実施するための形態】
【００１２】
以下に、本発明の好ましい実施形態を添付の図面に基づいて詳細に説明する。本発明のズームレンズは、複数のレンズ群を有し、ズーミングに際して隣り合うレンズ群の間隔が変化する。複数のレンズ群は物体側から像側へ順に配置された正の屈折力のレンズ群ＬＰ１、負の屈折力のレンズ群ＬＮ１、レンズ群ＬＮ１の像側に、レンズ群ＬＮ１に隣接して３つ以上のレンズ群を含む後群を有する。ズーミングに際して隣り合うレンズ群の間隔が変化する。
【００１３】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比２．７０、Ｆナンバー２．８９のズームレンズである。図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比２．７０、Ｆナンバー２．８９のズームレンズである。
【００１４】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比２．７０、Ｆナンバー２．８９のズームレンズである。図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比２．７０、Ｆナンバー２．８９のズームレンズである。
【００１５】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比２．７０、Ｆナンバー２．８９のズームレンズである。図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比３．３６、Ｆナンバー４．１０のズームレンズである。
【００１６】
図１３は本発明の実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。実施例７はズーム比４．０１、Ｆナンバー４．６０〜５．８８のズームレンズである。図１５は本発明の撮像装置の要部概略図である。
【００１７】
各実施例のズームレンズはビデオカメラ、デジタルカメラ、ＴＶカメラ、監視用カメラ等の撮像装置に用いられる撮像光学系である。レンズ断面図において、左方が被写体側（物体側）（前方）で、右方が像側（後方）である。
【００１８】
レンズ断面図において、ＬＦは最も物体側に正の屈折力のレンズ群ＬＰ１を含む１つ以上のレンズ群を有する前群である。ＬＮ１は前群ＬＦの像側に隣接して配置された負の屈折力のレンズ群である。ＬＲはレンズ群ＬＮ１の像側に、レンズ群ＬＮ１に隣接して配置された３つ以上のレンズ群を含む後群である。ＬＮ３は後群ＬＲに含まれる複数のレンズ群のうち、最も像側に配置された負の屈折力のレンズ群である。ＬＮ２はレンズ群ＬＮ３の物体側に、レンズ群ＬＮ３に隣接して配置された負の屈折力のレンズ群である。ＬＲ１は後群ＬＲの最も物体側に配置された正の屈折力のレンズ群である。
【００１９】
レンズ断面図において、ＳＰは開口絞りであり、後群ＬＲの物体側に配置されている。ＩＭＧは像面であり、ビデオカメラやデジタルスチルカメラの撮像光学系として使用する際にはＣＣＤセンサやＣＭＯＳセンサ等の固体撮像素子（光電変換素子）が置かれる。矢印は広角端から望遠端へのズーミング（変倍）に際しての、各レンズ群の移動方向と移動軌跡を示している。フォーカス（focus）に関する矢印は無限遠から近距離に合焦する際のレンズ群の移動方向を示している。
【００２０】
収差図のうち球面収差において、実線のｄ-lineはｄ線（波長５８７．６ｎｍ）、破線のｇ-lineはｇ線（波長４３５．８ｎｍ）である。非点収差図において破線のＭはｄ線のメリディオナル像面、実線のＳはｄ線のサジタル像面である。倍率色収差のｇ-lineはｄ線に対するｇ線である。ωは半画角（撮影画角の半分の値）（度）、ＦｎｏはＦナンバーである。
【００２１】
従来、物体側から像側へ順に、正の屈折力の第１レンズ群、負の屈折力の第２レンズ群、複数のレンズ群を有し、全体として正の屈折力の後群を有し、後群の最も像側に負の屈折力のレンズ群を配置したズームレンズが知られている。これらのズームレンズは後群の最も像側に負の屈折力のレンズ群を配置することで所謂テレフォトのパワー配置としてレンズ全長の短縮に有利な構成となることが知られている。
【００２２】
さらに後群の像側に負の屈折力のレンズ群を２つに配置してレンズ全長を短縮したズームレンズが知られている。後群の像側に複数の負の屈折力のレンズ群を配置することによりさらなるレンズ全長の短縮が容易となる。
【００２３】
一方、像側に複数の負の屈折力のレンズ群を配置すると軸上光線が像面付近で発散されるため、開口絞り近傍を通る軸上光線の入射高が大きくなる傾向がある。そのため球面収差や軸上色収差の補正が難しくなり、大口径化が困難になる。また、負の屈折力のレンズ群が多くなることでペッツバール和がマイナス方向に大きくなる傾向があり、像面湾曲を良好に補正するのが難しく、大口径比化が困難になってくる。
【００２４】
上記課題を解決するためには、各レンズ群の数や各レンズ群の屈折力配置、そしてズーミングに際しての各レンズ群の移動量等を適切に設定することが重要になってくる。
【００２５】
そこで各実施例では次の構成をとっている。各実施例において、後群ＬＲに含まれる複数のレンズ群のうち、最も像側には負の屈折力のレンズ群ＬＮ３が配置されている。レンズ群ＬＮ３の物体側に、レンズ群ＬＮ３に隣接して負の屈折力のレンズ群ＬＮ２が配置されている。後群ＬＲには最も物体側に正の屈折力のレンズ群ＬＲ１が配置されている。広角端から望遠端へのズーミングに際してレンズ群ＬＰ１とレンズ群ＬＮ２とレンズ群ＬＮ３は物体側へ移動する。
【００２６】
広角端から望遠端へのズーミングにおけるレンズ群ＬＮ２の移動量をｍｎ２とする。広角端から望遠端へのズーミングにおけるレンズ群ＬＮ３の移動量をｍｎ３とする。広角端から望遠端へのズーミングにおけるレンズ群ＬＰ１の移動量をｍｐ１とする。広角端から望遠端へのズーミングにおけるレンズ群ＬＲ１の移動量をｍｒ１とする。レンズ群ＬＮ１の焦点距離をｆｎ１とする。レンズ群ＬＮ２の焦点距離をｆｎ２とする。
【００２７】
このとき、
０．５０＜ｆｎ２／ｆｎ１＜１．７０    ・・・（１）
１．０１＜ｍｎ２／ｍｎ３＜１．８０    ・・・（２）
−０．０１＜ｍｒ１／ｍｐ１＜０．３０  ・・・（３）
なる条件式を満足する。
【００２８】
ここでレンズ群の移動量とは、広角端と望遠端におけるレンズ群の光軸上の位置の差であり、移動量の符号は広角端に比べて望遠端において物体側に位置するときを負、像側に位置するときを正とする。
【００２９】
各実施例では、像側に複数の負の屈折力のレンズ群を配置することでレンズ全長の短縮を容易にしている。広角端から望遠端へのズーミングに際してレンズ群ＬＰ１と、レンズ群ＬＮ２を物体側に移動させることでレンズ全長の短縮と高いズーム比を確保している。またレンズ群ＬＮ３を物体側に単調に移動させることでズーミングに伴う非点収差の変動を良好に補正して大口径比化を容易にしつつ、メカ構成を単純化してズームレンズの小型化を容易にしている。
【００３０】
次に前述の各条件式の技術的意味ついて説明する。条件式（１）はレンズ群ＬＮ１の焦点距離とレンズ群ＬＮ２の焦点距離の比を規定している。レンズ群ＬＮ１は変倍レンズ群、レンズ群ＬＮ２は後群ＬＲの像側に配置したレンズ群で、これらの焦点距離の比を適切に設定することでレンズ全長の短縮化と高画質化を図っている。
【００３１】
条件式（１）の上限を超えてレンズ群ＬＮ２の負の焦点距離が長くなると（負の焦点距離の絶対値が大きくなると）、テレフォトのパワー配置を取ることが難しくなり、レンズ全長の短縮が困難となる。条件式（１）の下限を下回りレンズ群ＬＮ２の負の焦点距離が短くなると（負の焦点距離の絶対値が小さくなると）、ペッツバール和がマイナス方向に大きくなり、像面湾曲の補正が困難となる。
【００３２】
条件式（２）はレンズ群ＬＮ２とレンズ群ＬＮ３の広角端から望遠端へのズーミングにおける移動量の比を規定している。レンズ群ＬＮ２の移動量をレンズ群ＬＮ３の移動量に対して大きくすることで、レンズ群ＬＮ２の変倍分担を大きくして高ズーム比化を容易にしている。また、レンズ群ＬＮ２とレンズ群ＬＮ３の間隔を広角端に比べて望遠端で大きくすることでズーミングに伴う非点収差の変動を良好に補正している。
【００３３】
条件式（２）の上限を超えてレンズ群ＬＮ２の移動量が大きくなるとメカ機構が複雑化してズームレンズが大型化するため好ましくない。条件式（２）の下限を下回りレンズ群ＬＮ２の移動量が小さくなるとレンズ群ＬＮ２の変倍分担が小さくなり、高ズーム比化が困難となり好ましくない。
【００３４】
条件式（３）はレンズ群ＬＰ１とレンズ群ＬＲ１の広角端から望遠端へのズーミングにおける移動量の比を規定している。レンズ群ＬＰ１の移動量をレンズ群ＬＲ１の移動量に対して大きくすることで大口径比化と高ズーム比化を容易にしている。上限を超えてレンズ群ＬＲ１の移動量が大きくなると望遠端における開口絞りＳＰ近傍のレンズへの光束の入射高さが大となり、球面収差や軸上色収差の補正が困難となり大口径比化が難しくなる。
【００３５】
条件式（３）の下限を下回りレンズ群ＬＰ１の移動量が大きくなると望遠端において入射瞳位置が第１レンズ面に対して遠くなる。そのため、前玉有効径を大きくしないと十分な周辺光量を確保することが困難となり、ズームレンズの小型化と高ズーム比化が困難となる。
【００３６】
各実施例において好ましくは次の条件式のうち１つ以上を満足するのが良い。望遠端におけるズームレンズ（全系）の焦点距離をｆｔとする。広角端におけるバックフォーカスをｓｋｗ、望遠端におけるバックフォーカスをｓｋｔとする。広角端におけるズームレンズズームレンズの焦点距離をｆｗとする。望遠端におけるレンズ群ＬＮ１の結像横倍率をβＬＮ１ｔとする。レンズ群ＬＮ３の焦点距離をｆｎ３とする。
【００３７】
このとき次の条件式のうち１つ以上を満足するのが良い。
【００３８】
０．１５＜ｍｐ１／ｆｔ＜０．４０      ・・・（４）
０．５０＜ｓｋｔ／ｓｋｗ＜４．００    ・・・（５）
−０．６０＜ｆｎ１／ｆｔ＜−０．２０  ・・・（６）
０．１０＜ｓｋｗ／ｆｗ＜０．４２      ・・・（７）
−５．００＜βＬＮ１ｔ＜−１．００    ・・・（８）
０．０５＜ｆｎ３／ｆｎ２＜０．４０    ・・・（９）
【００３９】
次に前述の各条件式の技術的意味について説明する。条件式（４）はレンズ群ＬＰ１の広角端から望遠端へのズーミングにおける移動量と望遠端におけるズームレンズの焦点距離の比を規定している。条件式（４）の下限を下回りレンズ群ＬＰ１の移動量が小さくなると望遠端における倍率色収差の補正が困難となり好ましくない。条件式（４）の上限を超えてレンズ群ＬＰ１の移動量が大きくなるとメカ機構が複雑化してズームレンズが大型化するため好ましくない。
【００４０】
条件式（５）は広角端におけるバックフォーカスと望遠端におけるバックフォーカスの比を規定している。広角端及び望遠端におけるバックフォーカスの比を適切に設定することでレンズ群ＬＮ３において発生する収差量とレンズ群ＬＰ１で発生する収差量とキャンセルさせることで高画質化とズームレンズの小型化を容易にしている。
【００４１】
条件式（５）の上限を超えて広角端におけるバックフォーカスが短くなりすぎると広角端においてレンズ群ＬＮ３で倍率色収差の発生が小さくなり、倍率色収差の補正が不足するため好ましくない。条件式（５）の下限を超えて広角端におけるバックフォーカスが長くなりすぎるとズーミングに伴う倍率色収差の変動が大きくなり好ましくない。
【００４２】
条件式（６）はレンズ群ＬＮ１の焦点距離と望遠端におけるズームレンズの焦点距離の比を規定している。条件式（６）の下限を下回りレンズ群ＬＮ１の負の焦点距離の長さが長くなると変倍に必要な各レンズ群の移動量が大きくなりズームレンズが大型化するため好ましくない。条件式（６）の上限を超えてレンズ群ＬＮ１の負の焦点距離が短くなるとズーミングに伴う球面収差やコマ収差の変動が大きくなり好ましくない。
【００４３】
条件式（７）は広角端におけるバックフォーカスと広角端におけるズームレンズの焦点距離の比を規定している。条件式（７）の上限を超えてバックフォーカスが長くなるとレンズ全長が長くなり好ましくない。条件式（７）の下限を下回りバックフォーカスが短くなるとレンズの後玉有効径が大きくなり、ズームレンズが大型化するため好ましくない。
【００４４】
条件式（８）は望遠端におけるレンズ群ＬＮ１の結像横倍率を規定している。条件式（８）の上限を超えて結像横倍率が大きく、即ち絶対値が小さくなるとレンズ群ＬＮ１における変倍比を十分に得ることが困難となり、高ズーム比化が困難になる。条件式（８）の下限を下回り結像横倍率が小さく、即ち絶対値が大きくなるとレンズ群ＬＮ１における変倍分担が大きくなりズーミングに伴う球面収差やコマ収差のズーム変動が大きくなり好ましくない。
【００４５】
条件式（９）はレンズ群ＬＮ２の焦点距離とレンズ群ＬＮ３の焦点距離の比を規定している。条件式（９）の下限を下回りレンズ群ＬＮ２の負の焦点距離が長く、またはレンズ群ＬＮ３の負の焦点距離が短くなると、パワー配置の非対称性が強まり、特に望遠端においてコマ収差や歪曲収差の補正が困難となり好ましくない。条件式（９）の上限を超えてレンズ群ＬＮ２の負の焦点距離が短く、またはレンズ群ＬＮ３の負の焦点距離が長くなると、テレフォトのパワー配置にすることが難しくなりレンズ全長が増大するため好ましくない。
【００４６】
さらに好ましくは下記条件式を満足するとよい。
０．６０＜ｆｎ２／ｆｎ１＜１．６０    ・・・（１ａ）
１．０３＜ｍｎ２／ｍｎ３＜１．６１    ・・・（２ａ）
−０．００５＜ｍｒ／ｍｐ１＜０．２８０・・・（３ａ）
０．２０＜ｍｐ１／ｆｔ＜０．３６      ・・・（４ａ）
１．２０＜ｓｋｔ／ｓｋｗ＜３．４０    ・・・（５ａ）
−０．５０＜ｆｎ１／ｆｔ＜−０．２５  ・・・（６ａ）
０．１２＜ｓｋｗ／ｆｗ＜０．３０      ・・・（７ａ）
−４．２０＜βＬＮ１ｔ＜−１．５０    ・・・（８ａ）
０．０８＜ｆｎ３／ｆｎ２＜０．３１    ・・・（９ａ）
【００４７】
次に各実施例のレンズ構成について説明する。各実施例において後群ＬＲはレンズ群ＬＮ１の像側に隣接して配置され、かつ開口絞りＳＰを含む。またレンズ群ＬＰ１はズームレンズの最も物体側に配置されている。
【００４８】
実施例１、２、５乃至７のレンズ断面図において、ＬＦは前群である。前群ＬＦは正の屈折力のレンズ群ＬＰ１より構成される。ＬＮ１は負の屈折力のレンズ群である。ＬＲは後群である。後群ＬＲは物体側から像側へ順に配置された正の屈折力のレンズ群ＬＲ１、負の屈折力のレンズ群ＬＲ２、正の屈折力のレンズ群ＬＲ３、負の屈折力のレンズ群ＬＮ２、負の屈折力のレンズ群ＬＮ３より構成される。実施例１、２、５乃至７は７群ズームレンズである。実施例１、５乃至７ではズーミングに際して全てのレンズ群が移動する。
【００４９】
実施例２ではズーミングに際してレンズ群ＬＲ１は不動で、その他のレンズ群が移動する。実施例１、２、５乃至７では無限遠から近距離へのフォーカシングに際してレンズ群ＬＲ２は物体側へレンズ群ＬＮ２は像側へ移動する。レンズ群ＬＲ２に関する実線の矢印ＬＲ２ａと点線の矢印ＬＲ２ｂは各々無限遠と近距離にフォーカスしているときの変倍に伴う像面変動を補正するための移動軌跡である。また無限遠から近距離へフォーカスは、矢印ＬＲ２ｃに示す如くレンズ群ＬＲ２を物体側へ移動することで行っている。
【００５０】
レンズ群ＬＮ２に関する実線の矢印ＬＮ２ａと点線の矢印ＬＮ２ｂは各々無限遠と近距離にフォーカスしているときの変倍に伴う像面変動を補正するための移動軌跡である。また無限遠から近距離へフォーカスは、矢印ＬＮ２ｃに示す如くレンズ群ＬＮ２を像側へ移動することで行っている。
【００５１】
実施例３のレンズ断面図においてＬＦは前群である。前群ＬＦは正の屈折力のレンズ群より構成される。ＬＮ１は負の屈折力のレンズ群、ＬＲは後群である。後群ＬＲは物体側から像側へ順に配置された正の屈折力のレンズ群ＬＲ１、正の屈折力のレンズ群ＬＲ２、負の屈折力のレンズ群ＬＮ２、負の屈折力のレンズ群ＬＮ３より構成される。実施例３は６群ズームレンズである。実施例３ではズーミングに際して全てのレンズ群が移動する。
【００５２】
レンズ群ＬＮ２に関する実線の矢印ＬＮ２ａと点線の矢印ＬＲ２ｂは各々無限遠と近距離にフォーカスしているときの変倍に伴う像面変動を補正するための移動軌跡である。また無限遠から近距離へフォーカスは、矢印ＬＮ２ｃに示す如くレンズ群ＬＮ２を像側へ移動している。
【００５３】
実施例４のレンズ断面図において、ＬＦは前群である。前群ＬＦは正の屈折力のレンズ群ＬＰ１、正の屈折力のレンズ群ＬＰ２より構成される。即ち、レンズ群ＬＰ１とレンズ群ＬＮ１との間に正の屈折力のレンズ群ＬＰ２が配置される。ＬＮ１は負の屈折力のレンズ群である。ＬＲは後群である。後群ＬＲは物体側から像側へ順に配置された正の屈折力のレンズ群ＬＲ１、負の屈折力のレンズ群ＬＲ２、正の屈折力のレンズ群ＬＲ３、負の屈折力のレンズ群ＬＮ２、負の屈折力のレンズ群ＬＮ３より構成される。
【００５４】
実施例４は８群ズームレンズである。実施例４ではズーミングに際してレンズ群ＬＲ１は不動で、その他のレンズ群が移動する。
【００５５】
レンズ群ＬＲ２に関する実線の矢印ＬＲ２ａと点線の矢印ＬＲ２ｂは各々無限遠と近距離にフォーカスしているときの変倍に伴う像面変動を補正するための移動軌跡である。また無限遠から近距離へフォーカスは、矢印ＬＲ２ｃに示す如くレンズ群ＬＲ２を物体側へ移動することで行っている。
【００５６】
レンズ群ＬＮ２に関する実線の矢印ＬＮ２ａと点線の矢印ＬＮ２ｂは各々無限遠と近距離にフォーカスしているときの変倍に伴う像面変動を補正するための移動軌跡である。また無限遠から近距離へフォーカスは、矢印ＬＮ２ｃに示す如くレンズ群ＬＮ２を像側へ移動することで行っている。
【００５７】
次に本発明のズームレンズを撮像光学系として用いたデジタルスチルカメラ（撮像装置）の実施例に関して図１５を用いて説明する。
【００５８】
図１５において、１０はカメラ本体、１１は本発明のズームレンズによって構成された撮像光学系である。１２はカメラ本体な内蔵され、撮像光学系１１によって形成された被写体像を受光するＣＣＤセンサやＣＭＯＳセンサ等の撮像素子（光電変換素子）である。
【００５９】
次に本発明の実施例１乃至７にそれぞれ対応する数値データ１乃至７を示す。各数値データにおいて、ｉは物体側からの光学面の順序を示す。ｒｉは第ｉ番目の光学面（第ｉ面）の曲率半径、ｄｉは第ｉ面と第ｉ＋１面との間の間隔、ｎｄｉ、νｄｉはそれぞれｄ線に対する第ｉ番目の光学部材の材料の屈折率、アッベ数を示す。
【００６０】
ＢＦはバックフォーカスであり、最終レンズ面から近軸像面までの距離を空気換算長として表したものである。レンズ全長は第１レンズ面から最終レンズ面までの長さにバックフォーカスＢＦの値を加えた長さである。＊は非球面を意味する。またｋは離心率である。Ａ４、Ａ６、Ａ８、Ａ１０、Ａ１２は非球面係数である。非球面形状は、面頂点を基準にして光軸からの高さｈの位置における光軸方向の変位をｘとするとき、
ｘ＝（ｈ2／Ｒ）／［１＋｛１−（１＋ｋ）（ｈ／Ｒ）2｝1/2］＋Ａ４×ｈ4＋Ａ６×ｈ6＋Ａ８×ｈ8＋Ａ１０×ｈ10＋Ａ１２×ｈ12
で表される。
【００６１】
但しＲは近軸曲率半径である。「ｅ−ｘ」は「１０-x」を意味している。各数値データにおける上述した各条件式とパラメータとの対応を表１に示す。  
【００６２】
［数値データ１］
面データ
面番号       r        d      nd         νd
1        100.939    7.87   1.49700    81.5           
2        607.683    0.20                             
3        110.004    2.70   1.61340    44.3           
4         53.490    0.10                             
5         53.730   12.43   1.43875    94.7           
6       3390.259  (可変)                             
7      -1019.669    1.40   1.59522    67.7           
8         67.179    3.69                             
9        -87.581    1.40   1.76385    48.5           
10         46.336    4.29   1.85478    24.8           
11        332.483  (可変)                             
12(絞り)    ∞       0.50                             
13*        55.423    7.62   1.49700    81.5           
14        -81.526  (可変)                             
15        -35.517    1.50   1.59270    35.3           
16         67.830    4.02   1.84666    23.8           
17       -152.316  (可変)                             
18        135.330    1.50   2.05090    26.9           
19         38.052    8.70   1.49700    81.5           
20        -40.283    1.06                             
21        -31.420    1.50   1.90043    37.4           
22        -42.308    0.20                             
23         77.449    7.14   1.48749    70.2           
24        -50.845    0.20                             
25         54.910    4.18   1.72916    54.7           
26        361.257  (可変)                             
27        122.370    1.10   1.59349    67.0           
28         25.095  (可変)                             
29       -113.404    3.48   1.85478    24.8           
30        -46.768    6.58                             
31*       -23.188    2.00   1.58313    59.4           
32*       -73.788  (可変)                             
像面        ∞   
【００６３】
非球面データ
第13面
K = 0.00000e+000  A 4=-1.02194e-006  A 6= 1.17568e-009  A 8= 3.55948e-013  
第31面
K =-9.20301e-001  A 4= 3.85280e-006  A 6=-4.23759e-009  A 8= 2.33288e-011  A10=-5.19248e-014  
第32面
K = 0.00000e+000  A 4=-7.12420e-007  A 6=-2.81460e-009  A 8= 8.93827e-012  A10=-2.50517e-014  
【００６４】
各種データ
ズーム比     2.70 
広角     中間     望遠
焦点距離      72.10   117.20   194.99  
Fナンバー      2.89     2.89     2.89  
半画角（度）  16.70    10.46     6.33  
像高          21.64    21.64    21.64  
レンズ全長   163.23   198.76   223.25  
BF            13.34    21.32    29.07  
d 6            6.26    41.78    66.27  
d11            9.28     7.16     2.33  
d14            9.26    12.59    16.02  
d17            7.95     4.62     1.18  
d26           13.85     8.82     1.36  
d28           17.93    17.11    21.65  
d32           13.34    21.32    29.07  
レンズ群データ
群  始面    焦点距離  
1    1     159.29  
2    7     -52.04  
3   12      67.63  
4   15    -141.19  
5   18      37.31  
6   27     -53.42  
7   29    -195.48  
【００６５】
［数値データ２］
面データ
面番号       r        d      nd         νd
1         92.123    7.60   1.53775    74.7           
2        395.909    0.20                             
3        104.477    2.80   1.61340    44.3           
4         50.193    0.10                             
5         50.367   13.35   1.43387    95.1           
6       2020.071  (可変)                             
7       -541.600    1.60   1.76385    48.5           
8         63.772    3.76                             
9        -70.848    1.40   1.59522    67.7           
10         66.960    3.06   1.85478    24.8           
11        532.626  (可変)                             
12(絞り)    ∞       0.50                             
13*        45.242    7.06   1.49700    81.5           
14*       -75.602  (可変)                             
15        -32.197    1.50   1.54072    47.2           
16         53.953    3.21   1.84666    23.8           
17        569.160  (可変)                             
18        162.344    3.95   1.59349    67.0           
19        -60.414    0.15                             
20        304.624    1.60   2.05090    26.9           
21         32.443    7.52   1.49700    81.5           
22        -79.721    0.15                             
23         43.634    4.50   1.59551    39.2           
24        393.600    0.15                             
25         62.576    4.15   1.59349    67.0           
26       -376.353  (可変)                             
27        160.904    1.10   1.59522    67.7           
28         24.260  (可変)                             
29       -255.241    3.39   1.85478    24.8           
30        -61.402    3.68                             
31*       -24.292    2.00   1.49700    81.5           
32*       -86.058  (可変)                             
像面        ∞   
【００６６】
非球面データ
第13面
K = 0.00000e+000  A 4=-1.53384e-006  A 6=-6.47368e-011  A 8= 1.02903e-012  A10= 1.95023e-014  
第14面
K = 0.00000e+000  A 4= 2.54451e-008  A 6=-2.08371e-009  A 8= 6.96900e-012  A10= 6.62087e-015  
第31面
K =-1.53025e+000  A 4=-3.08663e-006  A 6= 1.48626e-008  A 8=-5.30224e-011  A10= 5.71026e-014  
第32面
K = 0.00000e+000  A 4=-4.22388e-006  A 6= 9.26149e-009  A 8=-3.61802e-011  A10= 3.18024e-014  
【００６７】
各種データ
ズーム比     2.70 
焦点距離      72.10   118.53   194.99   
Fナンバー      2.89     2.89     2.89       
半画角（度）  16.70    10.34     6.33      
像高          21.64    21.64    21.64    
レンズ全長   163.23   186.33   206.73    
BF            13.16    19.13    22.74    
d 6            4.31    38.33    65.15     
d11           19.53     8.61     2.19     
d14            8.25     9.68    12.28    
d17            5.19     3.76     1.16     
d26           11.57     8.99     0.99    
d28           22.75    19.36    23.75     
d32           13.16    19.13    22.74     
レンズ群データ
群  始面    焦点距離  
1    1     151.76  
2    7     -50.37  
3   12      58.08  
4   15     -79.55  
5   18      35.52  
6   27     -48.14  
7   29    -288.19  
【００６８】
［数値データ３］
面データ
面番号       r        d      nd         νd
1        113.172    7.56   1.59522    67.7           
2       1056.983    0.20                             
3        102.105    2.70   1.61340    44.3           
4         51.784   10.83   1.43875    94.7           
5        253.046  (可変)                             
6        237.089    1.40   1.59282    68.6           
7         39.178    6.19                             
8        -85.365    1.40   1.70416    37.8           
9         53.194    4.16   1.85478    24.8           
10       1078.556  (可変)                             
11(絞り)    ∞       1.00                             
12         53.866    4.27   2.00077    26.1           
13        538.275    1.08                             
14         71.958    1.40   1.85685    40.2           
15         22.692   10.52   1.49691    81.6           
16        -82.495    2.01                             
17        -37.108    1.40   1.77057    32.8           
18        140.883    0.15                             
19         39.570    5.20   1.81896    24.8           
20        407.027  (可変)                             
21        351.705    1.40   2.05109    26.9           
22         30.854    9.91   1.52384    77.4           
23        -52.724    0.09                             
24        123.194    3.52   1.72969    54.7           
25       -119.076    0.20                             
26         52.826    4.71   1.72956    54.7           
27       -282.122  (可変)                             
28*       223.534    1.10   1.55332    71.7           
29*        22.184  (可変)                             
30        -63.362    3.36   1.85478    24.8           
31        -35.968   10.73                             
32*       -20.032    2.00   1.55332    71.7           
33*       -42.741  (可変)                             
像面        ∞   
【００６９】
非球面データ
第28面
K = 0.00000e+000  A 4= 5.18853e-006  A 6=-7.31532e-009  A 8= 9.88642e-012  A10=-9.60351e-015  
第29面
K = 0.00000e+000  A 4= 4.82149e-006  A 6= 4.51882e-010  A 8= 1.78331e-011  A10=-2.21788e-014  
第32面
K =-1.12051e+000  A 4= 1.07692e-005  A 6= 1.38612e-008  A 8= 4.46577e-012  A10=-5.05179e-015  
第33面
K = 0.00000e+000  A 4= 1.09708e-005  A 6=-3.53804e-011  A 8= 1.27312e-011  A10=-2.70651e-014  
【００７０】
各種データ
ズーム比     2.70 
広角     中間     望遠
焦点距離      72.10   119.18   194.96  
Fナンバー      2.89     2.89     2.89  
半画角（度）  16.70    10.29     6.33  
像高          21.64    21.64    21.64  
レンズ全長   163.92   201.30   231.07  
BF            12.94    24.20    35.77  
d 5            4.54    41.92    71.68  
d10           10.80     6.26     2.08  
d20            7.41     4.76     1.92  
d27           10.35     6.22     0.89  
d29           19.40    19.47    20.24  
d33           12.94    24.20    35.77  
レンズ群データ
群  始面    焦点距離  
1    1     173.19  
2    6     -51.88  
3   11      80.10  
4   21      36.49  
5   28     -44.60  
6   30    -447.67  
【００７１】
［数値データ４］
面データ
面番号       r        d      nd         νd
1        145.690    5.95   1.49700    81.5           
2       1174.327    0.20                             
3        106.850    2.80   1.61340    44.3           
4         50.142   12.96   1.49700    81.5           
5        438.729  (可変)                             
6        432.945    3.83   1.43875    94.7           
7       -138.915  (可変)                             
8       -279.789    1.50   1.76385    48.5           
9         51.929    5.07                             
10        -49.025    1.40   1.59522    67.7           
11         72.680    3.63   1.85478    24.8           
12       -443.886  (可変)                             
13(絞り)    ∞       0.50                             
14*        41.255    7.15   1.49700    81.5           
15*      -107.262  (可変)                             
16        -32.473    1.50   1.58144    40.8           
17         73.853    3.49   1.84666    23.8           
18       -412.099  (可変)                             
19        264.084    4.50   1.59349    67.0           
20        -53.974    0.15                             
21        138.806    1.60   2.05090    26.9           
22         32.740    7.36   1.48749    70.2           
23       -123.088    0.15                             
24         51.513    3.92   1.63930    44.9           
25        420.279    0.15                             
26         61.977    4.50   1.58913    61.1           
27       4216.117  (可変)                             
28        104.752    1.10   1.53775    74.7           
29         25.523  (可変)                             
30       -104.342    2.63   1.85478    24.8           
31        -55.180    3.62                             
32*       -23.853    2.00   1.55332    71.7           
33*       -51.260  (可変)                             
像面        ∞   
【００７２】
非球面データ
第14面
K = 0.00000e+000  A 4=-2.70392e-006  A 6= 5.64875e-010  A 8= 3.12298e-012  A10=-1.53401e-014  
第15面
K = 0.00000e+000  A 4=-1.08720e-006  A 6= 5.29694e-010  A 8=-1.95272e-013  A10=-1.14169e-014  
第32面
K =-1.01793e+000  A 4=-6.59724e-006  A 6= 5.55822e-008  A 8=-1.95516e-010  A10= 2.56079e-013  
第33面
K = 0.00000e+000  A 4=-7.31259e-006  A 6= 4.38949e-008  A 8=-1.39962e-010  A10= 1.60264e-013  
【００７３】
各種データ
ズーム比     2.70 
広角     中間     望遠
焦点距離      72.10   119.02   195.00  
Fナンバー      2.89     2.89     2.89  
半画角（度）  16.70    10.30     6.33  
像高          21.64    21.64    21.64  
レンズ全長   171.47   207.72   222.30  
BF            19.96    23.84    26.70  
d 5            1.49    37.74    52.32  
d 7            1.57     8.13    19.12  
d12           19.29    12.73     1.74  
d15            8.19    10.53    12.20  
d18            5.14     2.80     1.13  
d27           11.50     8.24     1.00  
d29           22.67    22.05    26.43  
d33           19.96    23.84    26.70  
レンズ群データ
群  始面    焦点距離  
1    1     186.47  
2    6     240.19  
3    8     -40.86  
4   13      60.92  
5   16     -82.59  
6   19      37.53  
7   28     -63.06  
8   30    -221.28  
【００７４】
［数値データ５］
面データ
面番号       r        d      nd         νd
1        102.810    8.12   1.49700    81.5           
2        962.108    0.20                             
3         99.499    2.70   1.61340    44.3           
4         51.536    0.10                             
5         51.757   12.23   1.43875    94.7           
6        877.113  (可変)                             
7       -405.163    1.40   1.59522    67.7           
8         52.382    4.68                             
9        -69.233    1.40   1.56732    42.8           
10         57.110    3.79   1.85478    24.8           
11        612.471  (可変)                             
12(絞り)    ∞       1.00                             
13         68.751    6.95   1.43875    94.7           
14        -54.332  (可変)                             
15        -39.079    1.50   1.81600    46.6           
16         59.546    4.12   2.00069    25.5           
17       -202.953  (可変)                             
18        119.989    1.40   1.84666    23.8           
19         62.710    0.15                             
20         36.102    9.03   1.48749    70.2           
21        -41.910    1.40   1.66680    33.0           
22         64.800    0.15                             
23         36.722    9.32   1.48749    70.2           
24        -66.620    0.15                             
25*        38.106    6.80   1.58313    59.4           
26*      -110.952  (可変)                             
27        101.192    2.37   1.80518    25.4           
28        474.008    1.20   1.80400    46.5           
29         24.082  (可変)                             
30       -307.903    1.60   1.76385    48.5           
31         36.156   10.16   1.72047    34.7           
32        -50.316    4.56                             
33*       -20.989    2.00   1.58913    61.1           
34*       -56.517  (可変)                             
像面        ∞   
【００７５】
非球面データ
第25面
K = 0.00000e+000  A 4=-4.96331e-006  A 6=-6.79898e-009  A 8= 6.89175e-013  A10=-1.69107e-014  
第26面
K = 0.00000e+000  A 4= 6.32053e-006  A 6=-5.35102e-009  A 8= 9.97561e-012  A10=-5.18592e-015  
第33面
K =-6.95822e-001  A 4= 2.64840e-006  A 6=-3.73518e-009  A 8= 2.19530e-011  A10=-9.36425e-014  
第34面
K = 0.00000e+000  A 4=-7.49418e-006  A 6= 2.68983e-009  A 8=-6.11648e-012  A10=-2.13251e-014  
【００７６】
各種データ
ズーム比     2.70 
広角     中間     望遠
焦点距離      72.10   118.62   195.00  
Fナンバー      2.89     2.89     2.89  
半画角（度）  16.70    10.34     6.33  
像高          21.64    21.64    21.64  
レンズ全長   162.22   196.00   218.49  
BF             9.50    15.17    20.51  
d 6            6.17    39.95    62.44  
d11            7.46     5.69     2.18  
d14            6.45     9.59    12.63  
d17            7.57     4.43     1.39  
d26           11.52     7.30     1.00  
d29           15.07    15.39    19.86  
d34            9.50    15.17    20.51  
レンズ群データ
群  始面    焦点距離  
1    1     151.32  
2    7     -56.63  
3   12      70.38  
4   15     -79.81  
5   18      32.57  
6   27     -40.15  
7   30    -166.94  
【００７７】
［数値データ６］
面データ
面番号       r        d      nd         νd
1         85.090    7.09   1.49700    81.5           
2        648.938    0.20                             
3         96.342    2.30   1.61340    44.3           
4         48.182    0.10                             
5         48.446    9.55   1.43875    94.7           
6        396.637  (可変)                             
7       7278.577    1.10   1.59522    67.7           
8         51.556    3.17                             
9        -67.171    1.10   1.76385    48.5           
10         45.239    3.44   1.85478    24.8           
11        586.447  (可変)                             
12(絞り)    ∞       0.50                             
13*        38.811    6.38   1.49700    81.5           
14        -92.638  (可変)                             
15        -37.886    1.20   1.66235    33.0           
16        106.371    2.67   1.84666    23.8           
17       -151.985  (可変)                             
18        155.546    3.15   1.51742    52.4           
19        -64.875    0.15                             
20        779.190    1.20   2.05090    26.9           
21         35.606    5.26   1.51742    52.4           
22        -87.387    0.15                             
23         63.730    3.28   1.51742    52.4           
24       -290.872    0.15                             
25         41.742    4.40   1.51742    52.4           
26       -419.385  (可変)                             
27        154.181    1.00   1.59282    68.6           
28         23.949  (可変)                             
29        -81.913    3.19   1.85478    24.8           
30        -38.811    6.77                             
31*       -20.043    1.80   1.58313    59.4           
32*       -54.835  (可変)                             
像面        ∞   
【００７８】
非球面データ
第13面
K = 0.00000e+000  A 4=-2.82386e-006  A 6= 5.45386e-010  A 8= 2.61241e-013  
第31面
K =-6.85718e-001  A 4= 1.18463e-005  A 6=-4.36599e-008  A 8= 1.96981e-010  A10=-3.56383e-013  
第32面
K = 0.00000e+000  A 4= 4.87876e-006  A 6=-3.64063e-008  A 8= 1.22101e-010  A10=-1.89877e-013  
【００７９】
各種データ
ズーム比     3.36 
広角     中間     望遠
焦点距離      72.10   131.78   242.00  
Fナンバー      4.10     4.10     4.10  
半画角（度）  16.70     9.32     5.11  
像高          21.64    21.64    21.64  
レンズ全長   147.22   176.39   210.90  
BF            12.95    25.54    36.63  
d 6            3.46    32.63    67.15  
d11           12.51     5.48     2.18  
d14            8.42    10.23    11.70  
d17            8.40     2.93     1.19  
d26           16.43    11.25     0.99  
d28           15.76    19.04    21.77  
d32           12.95    25.54    36.63  
レンズ群データ
群  始面    焦点距離  
1    1     147.67  
2    7     -44.01  
3   12      55.94  
4   15    -100.39  
5   18      37.71  
6   27     -47.96  
7   29    -195.15
【００８０】
［数値データ７］
面データ
面番号       r        d      nd         νd
1         83.619    5.07   1.59349    67.0           
2        477.088    0.20                             
3         94.318    2.00   1.65412    39.7           
4         44.281    7.13   1.49700    81.5           
5        222.372  (可変)                             
6       1259.011    1.10   1.72916    54.7           
7         78.807    1.32                             
8       -113.995    1.10   1.77250    49.6           
9         33.312    2.40   1.85478    24.8           
10         99.141  (可変)                             
11(絞り)    ∞       0.50                             
12         37.066    3.64   1.53775    74.7           
13       -116.530  (可変)                             
14        -27.627    1.20   1.72825    28.5           
15         33.492    3.51   1.92119    24.0           
16        -78.748  (可変)                             
17      -2860.926    2.89   1.51633    64.1           
18        -29.644    0.15                             
19         81.848    4.26   1.51742    52.4           
20        -24.495    1.20   2.05090    26.9           
21         63.979    0.87                             
22        520.261    2.46   1.69895    30.1           
23        -47.925    0.15                             
24         41.136    3.37   1.72047    34.7           
25       -147.384  (可変)                             
26       1790.920    2.12   1.80810    22.8           
27        -60.946    1.00   1.80400    46.5           
28         30.204  (可変)                             
29       -102.729    1.20   1.49700    81.5           
30         53.334    5.63   1.61340    44.3           
31        -65.106    3.37                             
32*       -29.146    1.80   1.49700    81.5           
33*      -118.468  (可変)                             
像面        ∞   
【００８１】
非球面データ
第32面
K = 1.52417e+000  A 4=-1.16506e-005  A 6= 2.03132e-008  A 8= 1.48328e-010  A10=-1.42916e-013  
第33面
K = 0.00000e+000  A 4=-2.24227e-005  A 6= 1.64688e-008  A 8= 6.39811e-011  A10=-1.79580e-013  
【００８２】
各種データ
ズーム比     4.01 
広角     中間     望遠
焦点距離      72.10   144.31   289.00  
Fナンバー      4.60     5.68     5.88  
半画角（度）  16.70     8.53     4.28  
像高          21.64    21.64    21.64  
レンズ全長   136.41   169.48   201.14  
BF            12.95    28.75    42.22  
d 5            2.89    35.97    67.62  
d10           18.49     9.43     1.61  
d13            4.79     7.18    10.58  
d16            8.65     4.58     1.04  
d25           17.79    12.22     0.99  
d28           11.22    11.73    17.44  
d33           12.95    28.75    42.22  
レンズ群データ
群  始面    焦点距離  
1    1     139.02  
2    6     -45.57  
3   11      52.73  
4   14    -122.80  
5   17      40.98  
6   26     -38.35  
7   29    -173.06  
【００８３】
【表１】
2019184632.tif 000003
【符号の説明】
【００８４】
ＬＦ  前群      ＬＲ  後群      ＬＰ１、ＬＮ１、ＬＲ１、ＬＮ２、ＬＮ３  レンズ群
【図１】
2019184632.tif 000004
【図２】
2019184632.tif 000005
【図３】
2019184632.tif 000006
【図４】
2019184632.tif 000007
【図５】
2019184632.tif 000008
【図６】
2019184632.tif 000009
【図７】
2019184632.tif 000010
【図８】
2019184632.tif 000011
【図９】
2019184632.tif 000012
【図１０】
2019184632.tif 000013
【図１１】
2019184632.tif 000014
【図１２】
2019184632.tif 000015
【図１３】
2019184632.tif 000016
【図１４】
2019184632.tif 000017
【図１５】
2019184632.tif 000018
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
複数のレンズ群を有し、ズーミングに際して隣り合うレンズ群の間隔が変化するズームレンズであって、
前記複数のレンズ群は、物体側から像側へ順に配置された、正の屈折力のレンズ群ＬＰ１、負の屈折力のレンズ群ＬＮ１、後群からなり、
前記後群は、前記後群に含まれるレンズ群のうち最も物体側に配置された正の屈折力のレンズ群ＬＲ１と、前記後群に含まれるレンズ群のうち最も像側に配置された負の屈折力のレンズ群ＬＮ３と、前記レンズ群ＬＮ３の物体側に隣接して配置された負の屈折力のレンズ群ＬＮ２を有し、
広角端から望遠端へのズーミングに際して前記レンズ群ＬＰ１と前記レンズ群ＬＮ２と前記レンズ群ＬＮ３は物体側へ移動し、
前記レンズ群ＬＮ１の焦点距離をｆｎ１、前記レンズ群ＬＮ２の焦点距離をｆｎ２、広角端から望遠端へのズーミングにおける前記レンズ群ＬＮ２の移動量をｍｎ２、広角端から望遠端へのズーミングにおける前記レンズ群ＬＮ３の移動量をｍｎ３、広角端から望遠端へのズーミングにおける前記レンズ群ＬＲ１の移動量をｍｒ１、広角端から望遠端へのズーミングにおける前記レンズ群ＬＰ１の移動量をｍｐ１、とするとき、
０．５０＜ｆｎ２／ｆｎ１＜１．７０
１．０１＜ｍｎ２／ｍｎ３＜１．８０
−０．０１＜ｍｒ１／ｍｐ１＜０．３０
なる条件式を満足することを特徴とするズームレンズ。
【請求項２】
望遠端における前記ズームレンズの焦点距離をｆｔとするとき、
０．１５＜ｍｐ１／ｆｔ＜０．４０
なる条件式を満足することを特徴とする請求項１に記載のズームレンズ。
【請求項３】
広角端におけるバックフォーカスをｓｋｗ、望遠端におけるバックフォーカスをｓｋｔとするとき、
０．５０＜ｓｋｔ／ｓｋｗ＜４．００
なる条件式を満足することを特徴とする請求項１または２に記載のズームレンズ。
【請求項４】
望遠端における前記ズームレンズの焦点距離をｆｔとするとき、
−０．６０＜ｆｎ１／ｆｔ＜−０．２０
なる条件式を満足することを特徴とする請求項１乃至３のいずれか１項に記載のズームレンズ。
【請求項５】
広角端におけるバックフォーカスをｓｋｗ、広角端における前記ズームレンズの焦点距離をｆｗとするとき、
０．１０＜ｓｋｗ／ｆｗ＜０．４２
なる条件式を満足することを特徴とする請求項１乃至４のいずれか１項に記載のズームレンズ。
【請求項６】
望遠端における前記レンズ群ＬＮ１の横倍率をβＬＮ１ｔとするとき、
−５．００＜βＬＮ１ｔ＜−１．００
なる条件式を満足することを特徴とする請求項１乃至５のいずれか１項に記載のズームレンズ。
【請求項７】
前記レンズ群ＬＮ３の焦点距離をｆｎ３とするとき、
０．０５＜ｆｎ３／ｆｎ２＜０．４０
なる条件式を満足することを特徴とする請求項１乃至６のいずれか１項に記載のズームレンズ。
【請求項８】
フォーカシングに際して前記レンズ群ＬＮ２が移動することを特徴とする請求項１乃至７のいずれか１項に記載のズームレンズ。
【請求項９】
前記後群は、物体側から像側へ順に配置された、前記レンズ群ＬＲ１、負の屈折力のレンズ群ＬＲ２、正の屈折力のレンズ群ＬＲ３、前記レンズ群ＬＮ２、前記レンズ群ＬＮ３より構成されていることを特徴とする請求項１乃至８のいずれか１項に記載のズームレンズ。
【請求項１０】
無限遠から近距離へのフォーカシングに際して、前記レンズ群ＬＲ２は物体側へ移動し、前記レンズ群ＬＮ２は像側へ移動することを特徴とする請求項９に記載のズームレンズ。
【請求項１１】
前記後群は、物体側から像側へ順に配置された、前記レンズ群ＬＲ１、正の屈折力のレンズ群ＬＲ２、前記レンズ群ＬＮ２、前記レンズ群ＬＮ３より構成されていることを特徴とする請求項１乃至８のいずれか１項に記載のズームレンズ。
【請求項１２】
無限遠から近距離へのフォーカシングに際して、前記レンズ群ＬＮ２は像側へ移動することを特徴とする請求項１１に記載のズームレンズ。
【請求項１３】
前記レンズ群ＬＰ１と前記レンズ群ＬＮ１との間に配置された、正の屈折力のレンズ群ＬＰ２を含むことを特徴とする請求項１乃至１０のいずれか１項に記載のズームレンズ。
【請求項１４】
前記レンズ群ＬＰ１は前記ズームレンズの最も物体側に配置されていることを特徴とする請求項１乃至１３のいずれか１項に記載のズームレンズ。
【請求項１５】
前記後群は開口絞りを含むことを特徴とする請求項１乃至１４のいずれか１項に記載のズームレンズ。
【請求項１６】
請求項１乃至１５のいずれか１項に記載のズームレンズと、該ズームレンズによって形成された像を受光する撮像素子を有することを特徴とする撮像装置。
【手続補正２】
【補正対象書類名】明細書
【補正対象項目名】０００９
【補正方法】変更
【補正の内容】
【０００９】
本発明のズームレンズは、複数のレンズ群を有し、ズーミングに際して隣り合うレンズ群の間隔が変化するズームレンズであって、
前記複数のレンズ群は、物体側から像側へ順に配置された、正の屈折力のレンズ群ＬＰ１、負の屈折力のレンズ群ＬＮ１、後群からなり、
前記後群は、前記後群に含まれるレンズ群のうち最も物体側に配置された正の屈折力のレンズ群ＬＲ１と、前記後群に含まれるレンズ群のうち最も像側に配置された負の屈折力のレンズ群ＬＮ３と、前記レンズ群ＬＮ３の物体側に隣接して配置された負の屈折力のレンズ群ＬＮ２を有し、
広角端から望遠端へのズーミングに際して前記レンズ群ＬＰ１と前記レンズ群ＬＮ２と前記レンズ群ＬＮ３は物体側へ移動し、
前記レンズ群ＬＮ１の焦点距離をｆｎ１、前記レンズ群ＬＮ２の焦点距離をｆｎ２、広角端から望遠端へのズーミングにおける前記レンズ群ＬＮ２の移動量をｍｎ２、広角端から望遠端へのズーミングにおける前記レンズ群ＬＮ３の移動量をｍｎ３、広角端から望遠端へのズーミングにおける前記レンズ群ＬＲ１の移動量をｍｒ１、広角端から望遠端へのズーミングにおける前記レンズ群ＬＰ１の移動量をｍｐ１、とするとき、
０．５０＜ｆｎ２／ｆｎ１＜１．７０
１．０１＜ｍｎ２／ｍｎ３＜１．８０
−０．０１＜ｍｒ１／ｍｐ１＜０．３０
なる条件式を満足することを特徴としている。
【手続補正３】
【補正対象書類名】明細書
【補正対象項目名】００１２
【補正方法】変更
【補正の内容】
【００１２】
以下に、本発明の好ましい実施形態を添付の図面に基づいて詳細に説明する。本発明のズームレンズは、複数のレンズ群を有し、ズーミングに際して隣り合うレンズ群の間隔が変化する。複数のレンズ群は物体側から像側へ順に配置された正の屈折力のレンズ群ＬＰ１、負の屈折力のレンズ群ＬＮ１、後群から成る。後群はレンズ群ＬＮ１の像側に、レンズ群ＬＮ１に隣接して３つ以上のレンズ群を含む。
【手続補正４】
【補正対象書類名】明細書
【補正対象項目名】００３６
【補正方法】変更
【補正の内容】
【００３６】
各実施例において好ましくは次の条件式のうち１つ以上を満足するのが良い。望遠端におけるズームレンズ（全系）の焦点距離をｆｔとする。広角端におけるバックフォーカスをｓｋｗ、望遠端におけるバックフォーカスをｓｋｔとする。広角端におけるズームレンズズームレンズの焦点距離をｆｗとする。望遠端におけるレンズ群ＬＮ１の横倍率をβＬＮ１ｔとする。レンズ群ＬＮ３の焦点距離をｆｎ３とする。
【手続補正５】
【補正対象書類名】明細書
【補正対象項目名】００４７
【補正方法】変更
【補正の内容】
【００４７】
次に各実施例のレンズ構成について説明する。各実施例において後群ＬＲは開口絞りＳＰを含む。またレンズ群ＬＰ１はズームレンズの最も物体側に配置されている。